(57)【要約】【課題】歯磨き中に口腔内から放出される飛沫を効率よく捕捉して垂れ流れをなくし、且つ歯ブラシへの着脱が極めて簡単で使い勝手がよく、しかも安価に製造できる歯磨き飛沫防止具を提供する。【解決手段】この歯磨き飛沫飛散防止具１は、人の口を覆い得る大きさを有する板状の多孔質弾性体からなり、その多孔質弾性体の中心部に歯ブラシの柄が押し拡げながら貫通する小孔１１を設けている。その小孔１１に歯ブラシ２の柄２１を後端２１ａから押し込んで貫通させ、柄２１の任意の位置に歯磨き飛沫防止具１を装着し、右手３でその柄２１を持ち、歯ブラシ２のブラシ部２２を口に入れて歯磨きを行う。その際、口腔内から放出させる唾液と歯磨剤とが混じった飛沫を、歯磨き飛沫飛散防止具１が飛沫捕捉面１２で捕捉して内部に保留する。【選択図】図２
0003234588.tif 000002
【実用新案登録請求の範囲】
【請求項１】
歯磨き時に発生する飛沫の飛散を防止する歯磨き飛沫飛散防止具であって、
人の口を覆い得る大きさを有する板状の多孔質弾性体からなり、該多孔質弾性体の中心部に歯ブラシの柄が押し拡げながら貫通する小孔を設けたことを特徴とする歯磨き飛沫飛散防止具。
【請求項２】
歯磨き時に発生する飛沫の飛散を防止する歯磨き飛沫飛散防止具であって、
人の口を覆い得る大きさを有する板状の多孔質弾性体からなり、該多孔質弾性体の中心部に歯ブラシの柄が貫通する所定領域を設け、該所定領域内にその中心から放射状に複数の切込みを形成したことを特徴とする歯磨き飛沫飛散防止具。
【請求項３】
請求項１又は２に記載の歯磨き飛沫飛散防止具において、前記多孔質弾性体の外形と同等以上の外形を有するシート材を設け、該シート材は吸水性を有し、中央部に歯ブラシの柄を通す孔が形成され、外周部の複数個所に前記多孔質弾性体に引っ掛ける係止部が設けられていることを特徴とする歯磨き飛沫飛散防止具。
【請求項４】
歯磨き時に発生する飛沫の飛散を防止する歯磨き飛沫飛散防止具であって、
人の口を覆い得る大きさを有する板状の多孔質弾性体からなり、中心部に歯ブラシの柄を通す孔が形成され、該孔と外周との間に周方向に間隔をおいて人の手の親指と人差し指と中指をそれぞれ通すスリットが形成されたことを特徴とする歯磨き飛沫飛散防止具。
【請求項５】
歯磨き時に発生する飛沫の飛散を防止する歯磨き飛沫飛散防止具であって、
人の口を覆い得る大きさを有する板状又はシート状の可撓性吸水体からなり、中心部に歯ブラシの柄を通す孔又は切込みが形成され、該孔又は切込みと外周との間に、人の手の親指と人差し指をそれぞれ通す円形孔と中指から小指までを通す長孔とが形成されたことを特徴とする歯磨き飛沫飛散防止具。
【請求項６】
歯磨き時に発生する飛沫の飛散を防止する歯磨き飛沫飛散防止具であって、
人の口を覆い得る大きさを有する板状又はシート状の吸水体からなり、中心部に歯ブラシの柄を通す孔又は切込みが形成され、該孔又は切込みに隣接して、前記吸水体の一方の面に沿って人の手の人差し指又は中指を通すバンドが設けられたことを特徴とする歯磨き飛沫飛散防止具。
【請求項７】
歯磨き時に発生する飛沫の飛散を防止する歯磨き飛沫飛散防止具であって、
人の口を覆い得る大きさを有する板状又はシート状の折り曲げ可能な吸水体からなり、中心部に対して対称な形状に一対の切込みが形成され、該一対の切込みによって囲まれた部分を曲げ起こすことにより、歯ブラシの柄を通す孔と、人の手の指で前記歯ブラシの柄と共に前記吸水体を保持するための一対の挟持片とが形成されるようにしたことを特徴とする歯磨き飛沫飛散防止具。
【請求項８】
請求項１から７のいずれか一項に記載の歯磨き飛沫飛散防止具において、前記多孔質弾性体又は前記吸水体が通気性も有することを特徴とする歯磨き飛沫飛散防止具。
【考案の詳細な説明】
【技術分野】
【０００１】  この考案は、歯ブラシンを使用して歯磨きをする際に口腔内から放出される飛沫の飛散を防止するための歯磨き飛沫飛散防止具に関する。
【背景技術】
【０００２】  歯磨きは、歯ブラシのブラシ部に歯磨剤を付け、その柄を片手で握り、ブラシ部を口腔内に入れて歯や歯茎をこすって磨く。その歯磨き中に、唾液と歯磨剤とが混ざった飛沫が口腔内から飛散して、手や衣服を汚したり、近くに居る人にかかって感染症に感染する恐れが生じたりする。
その飛沫の飛散を防止するために、従来から種々の提案がなされており、例えば特許文献１には、歯ブラシの柄に漏斗を着脱自在に嵌着して、歯ブラシの柄と漏斗の朝顔部との間に液受けを形成することが開示されている。【０００３】  また、特許文献２には、歯ブラシの柄の中間部に口内残渣液遮断ガードを取り付けて、歯磨き中に口から溢れて柄へ伝い流れ出た残渣液と飛散り残渣液を直接下方へ垂れ流して、衣類の濡れを抑止することが開示されている。
さらに、特許文献３には、鏡の前で歯磨きをしている時に、鏡に向かって飛散する歯磨剤と唾液を遮断する遮蔽板に、歯ブラシの柄を脱着可能に貫通させる挿入部を設けた歯磨き飛沫防止具が開示されている。
【先行技術文献】
【特許文献】
【０００４】
【特許文献１】特開２００３−３４８号公報
【特許文献２】特開２０１７−２０９４６９号公報
【特許文献３】特開２０２０−１１０１７号公報
【考案の概要】
【考案が解決しようとする課題】
【０００５】  しかしながら、このような従来提案されているものは、いずれも歯磨き中に口内から飛散する飛沫を捕捉する効果は少なく、飛散する飛沫の一部が口内残渣液遮断ガードや遮蔽板に付着したとしても、その表面を下方に流れて滴下することになる。
また、特許文献１に記載の漏斗及び特許文献２に記載の口内残渣液遮断ガードは漏斗状であるため製造し難いと共に、飛沫飛散領域を十分カバーする大きさにすることも難かしかった。特許文献３に記載の歯磨き飛沫防止具は、上記遮蔽板に歯ブラシの柄を着脱可能に貫通させる挿入部の構造が複雑で、製造コストがかかるばかりか、使用時の準備にも手間がかり、使い勝手がよくないという問題もあった。【０００６】  この考案は、これらの問題を解決するためになされたものであり、歯磨き中に口腔内から飛散する飛沫を効率よく捕捉して垂れ流れをなくし、且つ歯ブラシへの着脱が極めて簡単で使い勝手がよく、しかも安価に製造できる歯磨き飛沫防止具を提供することを目的とする。
【課題を解決するための手段】
【０００７】  この考案による歯磨き飛沫飛散防止具は、歯磨き時に発生する飛沫の飛散を防止するものであって、人の口を覆い得る大きさを有する板状の多孔質弾性体からなり、該多孔質弾性体の中心部に歯ブラシの柄が押し拡げながら貫通する小孔を設けたことを特徴とする。
上記小孔に代えて、上記板状の多孔質弾性体の中心部に歯ブラシの柄が貫通する所定領域を設け、該所定領域内にその中心から放射状に複数の切込みを形成してもよい。
これらの歯磨き飛沫飛散防止具に、上記多孔質弾性体の外形と同等以上の外形を有する吸水性のシート材を設け、その中央部に歯ブラシの柄を通す孔を形成し、外周部の複数個所に上記多孔質弾性体に引っ掛ける係止部を設けるとよい。【０００８】  あるいは、人の口を覆い得る大きさを有する板状の多孔質弾性体からなり、中心部に歯ブラシの柄を通す孔が形成され、その孔と外周との間に周方向に間隔をおいて人の手の親指と人差し指と中指をそれぞれ通すスリットが形成されたものであってもよい。
この考案による歯磨き飛沫飛散防止具はまた、人の口を覆い得る大きさを有する板状又はシート状の可撓性吸水体からなり、中心部に歯ブラシの柄を通す孔又は切込みが形成され、その孔又は切込みと外周との間に、人の手の親指と人差し指をそれぞれ通す円形孔と中指から小指までを通す長孔とが形成されたものであってもよい。
あるいは、上記円形孔と長孔を形成せず、中心部の孔又は切込みに隣接して、上記吸水体の一方の面に沿って人の手の人差し指又は中指を通すバンドを設けてもよい。【０００９】  この考案による歯磨き飛沫飛散防止具はさらに、人の口を覆い得る大きさを有する板状又はシート状の折り曲げ可能な吸水体からなり、中心部に対して対称な形状に一対の切込みが形成され、その一対の切込みによって囲まれた部分を曲げ起こすことにより、歯ブラシの柄を通す孔と、人の手の指で上記歯ブラシの柄と共に上記吸水体を保持するための一対の挟持片とが形成されるようにしたものであってもよい。
上記各歯磨き飛沫飛散防止具において、上記多孔質弾性体又は吸水体が通気性も有するとなおよい。
【考案の効果】
【００１０】  この考案による歯磨き飛沫飛散防止具は、板状の多孔質弾性体あるいは板状又はシート状の吸水体からなるので、歯磨き中に口腔内から飛散する飛沫を効率よく捕捉でき、下方に垂れ流すようなことはない。また、歯ブラシの柄の任意の位置に極めて簡単にしっかりと装着できるので使い勝手がよい。しかも、きわめて簡単な平面的な構成であるから安価に製造することができる。
【図面の簡単な説明】
【００１１】
【図１】この考案による歯磨き飛沫飛散防止具の第１の実施形態を示す斜視図である。
【図２】同じくその歯磨き飛沫飛散防止具を装着した歯ブラシを右手で持って使用する状態を示す歯磨き飛沫飛散防止具の径方向に沿う断面図である。
【図３】同じくその歯ブラシの別の持ち方の例を示す図２と同様な断面図である。
【図４】第１の実施形態の歯磨き飛沫飛散防止具の飛沫捕捉面側に吸水性のシート材を被せて歯ブラシに装着した状態を示す図３と同様な断面図である。
【図５】この考案による歯磨き飛沫飛散防止具の第２の実施形態を示す斜視図である。
【図６】同じくその歯磨き飛沫飛散防止具を装着した歯ブラシを右手で持って使用する状態を示す側面図である。
【図７】この考案による歯磨き飛沫飛散防止具の第３の実施形態を示す正面図である。
【図８】同じくその歯磨き飛沫飛散防止具を装着した歯ブラシを右手で持って使用する状態を示す側面図である。
【図９】この考案による歯磨き飛沫飛散防止具の第４の実施形態を示す裏面側から見た斜視図である。
【図１０】同じくその歯磨き飛沫飛散防止具を装着した歯ブラシを右手で持って使用する状態を示す図３と同様な断面図である。
【図１１】この考案による歯磨き飛沫飛散防止具の第５の実施形態を示す正面図である。
【図１２】同じくその一対の切込みによって囲まれた部分を曲げ起こすことにより、歯ブラシの柄を通す孔と一対の挟持片とが形成された状態を裏面側から見た斜視図である。
【図１３】同じくその歯磨き飛沫飛散防止具を装着した歯ブラシを右手で持って使用する状態を示す側面図である。
【図１４】この考案による歯磨き飛沫飛散防止具の第６の実施形態を示す正面図である。
【図１５】この考案による歯磨き飛沫飛散防止具の平面形状の異なる例を示す模式的な正面図である。
【考案を実施するための形態】
【００１２】  以下、図面を参照してこの考案の実施形態について説明する。
〔第１の実施形態〕
まず、図１から図３を参照して、この考案による歯磨き飛沫飛散防止具の第１の実施形態を説明する。図１はその歯ブラシ保持具の斜視図、図２はその歯磨き飛沫飛散防止具を装着した歯ブラシを右手で持って使用する状態を示す歯磨き飛沫飛散防止具の径方向に沿う断面図、図３はその歯ブラシの別の持ち方の例を示す図２と同様な断面図である。
【００１３】  この歯磨き飛沫飛散防止具１は、歯磨き時に発生する飛沫の飛散を防止するものであって、人の口を覆い得る大きさを有する板状の多孔質弾性体、例えば円板状のスポンジからなる。そして、その多孔質弾性体の中心部に歯ブラシの柄が押し拡げながら貫通する小孔１１を設けている。その小孔１１は、開口形状が歯ブラシの柄の断面形状に対して充分小さくてよい。例えば、使用される歯ブラシの柄の最も細い部分の外周より小さい内周を有する円形又は楕円形の小孔を設けるとよい。
【００１４】  具体例として例えば、標準的な歯ブラシの柄の最も細い部分（ブラシ部に近い部分）の幅が５ｍｍ、厚さが４ｍｍの場合、角の丸め具合により外周の長さは１６〜１８ｍｍ程度になる。一方、直径４．５ｍｍの円の周長は４．５×π≒１４．１３ｍｍであるから、小孔１１がこれ以下の直径の円形孔であれば十分である。また、長径５ｍｍ、短径４ｍｍの楕円の周長はそれが内接する長辺５ｍｍ、短辺４ｍｍの長方形の周長より短いことは明らかであるから、小孔１１がこれ以下の周長の楕円孔であればよい。
【００１５】  小孔１１が小さ過ぎると、歯ブラシの柄を通す際に孔の周囲が破損する恐れがある。逆に小孔１１が大き過ぎると、多孔質弾性体による弾性復元力と摩擦力が十分に得られず、歯磨き飛沫飛散防止具１を歯ブラシの柄に安定して確実に支持できなくなる。
そのため、利用者が使用する歯ブラシの柄の太さに応じて選択できるように、小孔１１の大きさが異なる複数種類の歯磨き飛沫飛散防止具を提供してもよい。
【００１６】  スポンジ等の多孔質弾性体は表面に多数の極めて小さい孔が形成され、内部に多数の極めて小さい空洞が形成されており、十分な吸水性及び保水性を有する。その大きさは任意であるが、例えば厚さ１ｃｍ〜２ｃｍで直径１０ｃｍ〜１５ｃｍ程度の円板状の例を図示している。この歯磨き飛沫飛散防止具１は、外力が加わらないときは平板状を保っているが、外力に対して弾性変形自在である。その一方の平面が飛沫捕捉面１２となる。
【００１７】  使用する歯ブラシ２の柄２１を後端２１ａからこの歯磨き飛沫飛散防止具１の小孔１１に押し込んで、その小孔１１を押し拡げながら貫通させれば、図２に示すように、歯磨き飛沫飛散防止具１を歯ブラシ２の柄２１の長手方向の所望の位置に、長手方向に対して直交する状態で装着することができる。
【００１８】  歯ブラシ２の柄２１が歯磨き飛沫飛散防止具１の小孔１１を通過する際、その周囲の多孔質弾性体を軸方向に押しつぶし、径方向に押し拡げる。そのため、その多孔質弾性体の弾性変形の復元力と摩擦力とによって、歯磨き飛沫飛散防止具１が歯ブラシ２の柄２１の所望の位置に安定して確実に支持される。
歯磨き飛沫飛散防止具１を構成する多孔質弾性体における小孔１１の周囲にゴム剤を含侵させれば、歯ブラシの柄の抜き差しに対する耐久性を増すことができる。
【００１９】  このように歯磨き飛沫飛散防止具１を装着した歯ブラシ２の柄２１の歯磨き飛沫飛散防止具１の裏面側に出ている部分を、図２に示すように、右手３の親指３１と人差し指３２と中指３３とで押さえて、鉛筆を持つように持つことができる。
そして、その歯ブラシ２のブラシ部２２を口腔内に入れて右手３を往復動させれば歯磨きを行うことができる。その際、唾液と歯磨剤とが混ざった飛沫が口腔内から外部へ放出される。
【００２０】  その飛沫の大部分は、口の前方を覆うように配置された歯磨き飛沫飛散防止具１の飛沫捕捉面（顔面と対向する側の面）１２に付着して捕捉される。飛沫粒子は殆ど水分であるから、多孔質弾性体である歯磨き飛沫飛散防止具１の飛沫捕捉面１２に吸着され内部に保留させる。歯磨き飛沫飛散防止具１の側方や裏面側に回り込んだ飛沫も、その一部は多孔質弾性体である歯磨き飛沫飛散防止具１の外周面や裏面に捕捉される。
【００２１】  この歯磨き飛沫飛散防止具１はスポンジ等の多孔質弾性体であるから、使用者の顔に触れても痛みを感じさせたり傷つけたりする恐れがないので、口にかなり近づけて配置することができ、口から放出される飛沫を拡散する前に効率よく捕捉して、拡散を防止することができる。
使用後は、歯磨き飛沫飛散防止具１を歯ブラシ２に装着したまま一緒に洗浄して保管してもよいし、歯磨き飛沫飛散防止具１を歯ブラシ２から取り外して洗浄して保管してもよい。
【００２２】  図３に示すように、歯磨き飛沫飛散防止具１を装着した歯ブラシ２の柄２１を右手３のげんこつ握りで持つこともできる。そのほか、従来と同様に任意の持ち方で歯ブラシを持って歯磨きを行うことができる。
歯ブラシ２の向きを反対にすれば、左手でも同様に歯磨き飛沫飛散防止具１を装着した歯ブラシ２を持って歯磨きを行うことができる。
【００２３】  この歯磨き飛沫飛散防止具１を使用すれば、歯磨き中に口腔内から放出される飛沫を効率よく捕捉して垂れ流れをなくし、手や衣服等を汚すことがなくなり、歯磨きを衛生的に行うことができる。特に病院や介護施設あるいは家庭などにおいて、病人や被介護者の歯磨きを看護師や介護士あるいは家族などが補助して行う場合に、病人や被介護者の口から飛散する飛沫の拡散を防止し、新型コロナウイルス等による感染症の感染リスクを低下させることができる。
また、歯ブラシへの着脱が極めて簡単で使い勝手がよく、しかも、単一材料からなり平板状であるから安価に製造できる。
【００２４】  図４は、上述した第１の実施形態の歯磨き飛沫飛散防止具の応用例を示す図３と同様な断面図である。但し、歯ブラシの柄を持つ手は図示していない。
この例では、飛沫飛散防止具１を構成する多孔質弾性体（この場合本体）の外形と同等以上の外形を有する吸水性のシート材１５を設け、その中央部に歯ブラシ２の柄２１を通す孔１５ａを形成し、外周部の複数個所に上記多孔質弾性体に引っ掛ける係止部１５ｂを設けている。
【００２５】  孔１５ａは、使用可能な歯ブラシの柄が容易に通過できる大きさの円形又は楕円形の孔でよい。
その吸水性のシート材１５を歯磨き飛沫飛散防止具１の飛沫捕捉面１２側に被せて、係止部１５ｂを上記多孔質弾性体（本体）の外周部に引っ掛けて係止させる。
その状態で、柄２１をシート材１５の孔１５ａと歯磨き飛沫飛散防止具１の小孔１１を貫通させて、歯ブラシ１に装着した状態を図４に示している。
【００２６】  シート材１５には、吸い取り紙あるいは和紙や半紙のような吸水性のある紙、ガーゼや綿布のような吸水性のある布や不織布等で、少なくとも係止部１５ｂに糊加工やワイヤの埋め込み等によって折り曲げ可能な剛性を持たせたもの等を使用する。
【００２７】  この歯磨き飛沫飛散防止具を使用すれば、歯磨き時に口から放出される飛沫の大部分はシート材１５の表面に捕捉される。そして、その水分がシート材１５の裏面側まで浸透すると、多孔質弾性体（本体）がそれを吸い取って保留する。
シート材１５は一回使用するごとに新しいものと交換するが、多孔質弾性体の本体は洗浄して継続使用することができる。その本体への飛沫の吸着は少ないので、洗浄が容易であり、長期間使用することができる。
【００２８】〔第２の実施形態〕
次に、図５及び図６を参照して、この考案による歯磨き飛沫飛散防止具の第２の実施形態を説明する。図５はその歯磨き飛沫飛散防止具の斜視図、図６はその歯磨き飛沫飛散防止具を装着した歯ブラシを右手で持って使用する状態を示す側面図である。
【００２９】  図５に示す歯磨き飛沫飛散防止具５も、上述した第１の実施形態と同様に、人の口を覆い得る大きさを有する板状の多孔質弾性体からなり、中心部に歯ブラシの柄を通す孔５１が形成されている。その孔５１は、使用可能な歯ブラシの柄を容易に挿入できる大きさの円形又は楕円形の孔でよい。そして、一方の平面が飛沫補足面５２となる。
さらに、その多孔質弾性体の孔５１と外周との間に周方向に間隔をおいて人の手の親指と人差し指と中指をそれぞれ通すスリット５３，５４，５５が形成されている。このスリット５３，５４，５５の幅は、各指の太さより充分小さくてよい。
【００３０】  この歯磨き飛沫飛散防止具５を使用する際には、図６に示すように歯ブラシ２の柄２１を孔５１に通して、歯磨き飛沫飛散防止具５の裏面側から右手３の親指３１と人差し指３２と中指３３をそれぞれスリット５３，５４，５５に挿入して飛沫補足面５２側へ貫通させる。その際、各指３１，３２，３３が各スリット５３，５４，５５を押し広げて、スリット付近の多孔質弾性体を圧縮するため、その弾性変形の復元力と摩擦力とによって、歯磨き飛沫飛散防止具５が右手３に確実に安定して保持される。
【００３１】  そして、歯磨き飛沫飛散防止具５の飛沫補足面５２側に突き出した親指３１と人差し指３２と中指３３とで歯ブラシ２の柄２１を押さえて、歯ブラシ２と歯磨き飛沫飛散防止具５とを一緒に位置決め保持することができる。その際、歯磨き飛沫飛散防止具５は図６に示すように、飛沫補足面５２が幾分凹面になるように湾曲する。
歯磨き時に口から放出される飛沫の拡散防止効果は、第１の実施形態の場合と同様であるが、歯磨き飛沫飛散防止具５の湾曲により飛沫補足率が高まる。
【００３２】  歯ブラシ２の向きを反対にすれば、左手でも同様に歯磨き飛沫飛散防止具５の各スリット５３，５４，５５に親指、人差し指、中指をそれぞれ通して歯ブラシ２を持ち、歯磨きを行うことができる。
【００３３】〔第３の実施形態〕
次に、図７及び図８を参照して、この考案による歯磨き飛沫飛散防止具の第３の実施形態を説明する。図７はその歯磨き飛沫飛散防止具の正面図、図８はその歯磨き飛沫飛散防止具を装着した歯ブラシを右手で持って使用する状態を示す側面図である。
【００３４】  図７に示す歯磨き飛沫飛散防止具６は、人の口を覆い得る大きさを有する板状又はシート状の可撓性吸水体からなり、中心部に歯ブラシの柄を通す切込み６１が形成され、その一方の平面が飛沫補足面６２となる。中心部の切込み６１と外周との間に、人の手の親指と人差し指をそれぞれ通す円形孔６３，６４と中指から小指までを通す長孔６５とが形成されている。
【００３５】  飛沫飛散防止具６を構成する可撓性吸水体は、ボール紙や板紙、画用紙のような吸水性と可撓性有する紙、吸水性を有する布や不織布に形状維持性を持たせたもの、ゴムシートや樹脂シートにスポンジやコルク等を貼り合わせたものなどを使用することができる。
切込み６１は、歯ブラシの柄を容易に差し込めるように＊印状に形成しているが、これに限らず、十字状や米字状などに形成してもよい。切込み６１に代えて、円形や楕円形等の孔を形成してもよい。
【００３６】  この歯磨き飛沫飛散防止具６を使用する際には、図８に示すように歯ブラシ２の柄２１を歯磨き飛沫飛散防止具６の切込み６１が形成された部分を押し曲げて差し込む。その後、歯磨き飛沫飛散防止具６の裏面側から右手３の親指３１を円形孔６３に、人差し指３２を円形孔６４に、中指３３から小指までを一緒に長孔６５にそれぞれ挿入する。
【００３７】  そして、歯磨き飛沫飛散防止具６の飛沫補足面６２側で、親指３１と人差し指３２と中指３３とで柄２１を押さえて、歯ブラシ２と歯磨き飛沫飛散防止具６とを一緒に位置決め保持する。その際、歯磨き飛沫飛散防止具６は図８に示すように、飛沫補足面６２が幾分凹面になるように湾曲する。
【００３８】  この状態で、歯ブラシ２のブラシ部２２を口腔内に入れて右手３を往復動させれば歯磨きを行うことができる。その際、唾液と歯磨剤とが混ざった飛沫が口腔内から外部へ放出される。
その飛沫の大部分は、口の前方を覆うように配置された歯磨き飛沫飛散防止具６の飛沫捕捉面（顔面と対向する側の面）６２に付着して捕捉される。飛沫粒子は殆ど水分であるから、吸水性のある飛沫捕捉面１２に吸着されて内部に保留されるため、下方に垂れ流れるようなことはない。また、歯磨き飛沫飛散防止具６の湾曲により飛沫補足率が高まる。
【００３９】  この歯磨き飛沫飛散防止具６は可撓性を有しているので、使用者の口や顔に接触しても、痛みを感じさせたり、傷付けたりする恐れはない。
この歯磨き飛沫飛散防止具６が紙製の場合は一回使用する毎に新しいものに交換するとよい。ゴムシートや樹脂シートにスポンジやコルク等を貼り合わせたものなどの場合は、洗浄して何度も使用することができる。その他の効果は第１の実施形態の場合と同様である。
【００４０】  歯ブラシ２の向きを反対にし、歯磨き飛沫飛散防止具６の飛沫補足面６２を図７に示した面と反対側の面にすれば、左手でも同様に歯ブラシ２と歯磨き飛沫飛散防止具６とを一緒に位置決め保持して、歯磨きを行うことができる。
【００４１】〔第４の実施形態〕
次に、図９及び図１０を参照して、この考案による歯磨き飛沫飛散防止具の第４の実施形態を説明する。図９はその歯磨き飛沫飛散防止具の裏面側から見た斜視図、図１０はその歯磨き飛沫飛散防止具を装着した歯ブラシを右手で持って使用する状態を示す図３と同様な断面図である。
【００４２】  図９に示す歯磨き飛沫飛散防止具７は、人の口を覆い得る大きさを有する板状又はシート状の吸水体７０の中心部に、歯ブラシの柄を通す孔７１が形成され、その一方の平面が飛沫補足面となる。吸水体７０の中心部に孔７１に代えて、歯ブラシの柄を容易に通せるように図７に示した切込み６１と同様な切込みを形成してもよい。
さらに、吸水体７０の孔７１に隣接して、裏面（飛沫補足面と反対側の面）に手の人差し指又は中指を通すバンド７５を設けている。
【００４３】  板状又はシート状の吸水体７０には、前述した第３の実施形態の飛沫飛散防止具６を構成する可撓性吸水体と同様な材料を使用することができるが、必ずしも可撓性を有していなくてもよい。
バンド７５は、ゴムバンドのように伸縮性を有するとよいが、紙バンドのように殆ど伸縮性を有しないものでもよい。
【００４４】  この歯磨き飛沫飛散防止具７を使用する際には、図１０に示すように歯ブラシ２の柄２１を吸水体７０の飛沫補足面７２側から孔７１に差し込む。その後、吸水体７０の裏面側で、右手３の人差し指３２を裏面７３に沿ってバンド７５に差し込み、右手３のげんこつ握りで柄２１を握ることによって、歯ブラシ２と歯磨き飛沫飛散防止具７とを一緒に位置決め保持することができる。バンド７５が伸縮性を有していると、指とバンド７５との間に隙間ができず、歯磨き飛沫飛散防止具７をより安定して保持することができる。
【００４５】  歯磨き時に口から放出される飛沫の拡散防止効果は、第３の実施形態の場合と略同様であるが、歯磨き飛沫飛散防止具７の飛沫補足面７２側に指が露出しないので、指に飛沫が付着することがない。人差し指に代えて中指をバンド７５に差し込んでもよい。
歯ブラシ２と歯磨き飛沫飛散防止具７の向きを図１０と左右反対にし、歯磨き飛沫飛散防止具７を１８０度回転させれば、左手でも同様に歯ブラシ２と歯磨き飛沫飛散防止具７とを一緒に位置決め保持して、歯磨きを行うことができる。
【００４６】〔第５の実施形態〕
次に、図１１から図１３を参照して、この考案による歯磨き飛沫飛散防止具の第６の実施形態を説明する。図１１はその歯磨き飛沫飛散防止具の正面図、図１２はその一対の切込みによって囲まれた部分を曲げ起こすことにより、歯ブラシの柄を通す孔と一対の挟持片とが形成された状態を裏面側から見た斜視図である。図１３はその歯磨き飛沫飛散防止具を装着した歯ブラシを右手で持って使用する状態を示す側面図である。
【００４７】  図１１に示す歯磨き飛沫飛散防止具８は、人の口を覆い得る大きさを有する板状又はシート状の折り曲げ可能な吸水体からなり、その一方の平面が飛沫補足面８２となる。そして、中心部に対して対称な形状に一対の切込み８５，８６が図示のように入り組んで形成されている。
その一対の切込み８５，８６によって囲まれた部分８７，８８を、それぞれ切込みが形成されていない部分で裏面８３側へ略直角に折り曲げて起こすことにより、図１２に示すように歯ブラシの柄を通す孔８１と一対の挟持片８７′，８８′とが形成される。
【００４８】  そして、図１３に示すように、その歯磨き飛沫飛散防止具８の孔８１に歯ブラシ２の柄２１を通し、柄２１の両面を一対の挟持片８７′，８８′で挟み、それを右手３の親指３１と人差し指３２で挟んで押さえる。それによって、歯ブラシ２の柄２１と共に飛沫飛散防止具８を構成する吸水体を所望の位置に保持することができる。
歯磨き飛沫飛散防止具８を構成する板状又はシート状の折り曲げ可能な吸水体としては、ボール紙や板紙、画用紙のような吸水性のある厚紙が適している。
【００４９】〔第６の実施形態〕
図１４は、この考案による歯磨き飛沫飛散防止具の第６の実施形態を示す正面図である。この第６の実施形態の歯磨き飛沫飛散防止具１０は、図１から図３によって説明した第１の実施形態の歯磨き飛沫飛散防止具１と殆ど共通している。
相違する点は、歯磨き飛沫飛散防止具１０を構成する多孔質弾性体の中心部に、小孔１１に代えて歯ブラシの柄が貫通する所定領域１３（図１４に破線で示す）を設け、その所定領域１３内にその中心から放射状に複数の切込み１４を形成している点だけである。
【００５０】  この歯磨き飛沫飛散防止具１０を使用する際には、使用する歯ブラシの柄を後端から所定領域１３に押し込む。それによって、歯ブラシの柄が、多孔質弾性体の所定領域１３内のそれぞれ両側に切込み１４が形成された各三角形の部分を後方へ押し曲げて開口部を押し拡げながら貫通する。それによって、歯磨き飛沫飛散防止具１０を構成する多孔質弾性体の所定領域１３の弾性変形の復元力と摩擦力とによって、歯磨き飛沫飛散防止具１０が歯ブラシの柄の所望の位置に安定して確実に支持される。
【００５１】  この場合、第１の実施形態の小孔１１よりも所定領域１３の弾性変形量を大きくすることができるので、歯磨き飛沫飛散防止具を安定して支持可能に貫通できる歯ブラシの柄の太さの許容幅が大きくなる。
図１４に示す例では、歯ブラシの柄を容易に差し込めるように切込み１４を＊印状に形成しているが、これに限らず、十字状や米字状などに形成してもよい。あるいは、曲線状の切込みを形成してもよい。
【００５２】  また、所定領域１３の形状は円形に限らず、楕円形や長円形、三角形や四角形を含む多角形、あるいはそれらの変形形状など種々の形状にすることができる。
多孔質弾性体の所定領域１３にゴム剤を含侵させれば、その耐久性を増すことができる。
図４によって説明した吸水性のシート材１５を、この実施形態の歯磨き飛沫飛散防止具１０に組合わせて使用することもできる。
【００５３】〔各実施形態に共通の事項〕
上述した各実施形態の歯磨き飛沫飛散防止具において、それらを構成する多孔質弾性体又は吸水体が通気性も有しているとよい。何故なら、歯磨き時に歯磨き飛沫飛散防止具が口に近づいたり離れたりするように移動しても、その間の空気の一部が歯磨き飛沫飛散防止具を通過して流れるため乱気流が発生しにくく、飛沫を側方へ飛散させる恐れを低減させることができる。また、歯ブラシを往復移動させる際の空気抵抗も減少する。
【００５４】  多孔質弾性体の場合は、表面の多数の孔と内部の空洞の一部とが表裏面間で連通していればよい。吸水体が紙などの通気性がない材料の場合は、表裏面間を貫通する多数の小孔を形成すればよい。その小孔は飛沫が通過できない大きさにする。
【００５５】  この考案による歯磨き飛沫飛散防止具の平面形状は円形や長方形に限らず、任意の形状にすることができる。例えば、楕円形や長円形又は小判形、図１５の（ａ）に示すような太鼓形等に形成することもできる。また、正方形や台形、あるいは図１５の（ｂ）に示すような正六角形等の多角形又はそれらの変形形状にすることもできる。
【００５６】  さらに、図１５の（ｃ）に示すような花の形状や、同図の（ｄ）に示すような動物の形状など、物を模した形状にしてもよい。飛沫捕捉面に着色したり、印刷を施したりしてもよい。
このような親しみ易い物の形状に形成すれば、子供達が喜んでこの歯磨き飛沫飛散防止具を使用して歯磨きをすることが期待できる。
【００５７】  この考案は上述した実施形態に限定されるものではなく、実用新案登録請求の範囲の各請求項で規定した範囲内で、種々の変更や追加あるいは省略又は組み合わせ等が可能である。
【符号の説明】
【００５８】１，５，６，７，８，１０：歯磨き飛沫飛散防止具    ２：歯ブラシ    ３：右手
１１：小孔    １０ａ，１２，５２，６２，７２，８２：飛沫補足面    １３：所定領域１４：切込み    １５：シート材    １５ａ：孔    １５ｂ：係止部
２１：歯ブラシの柄    ２２：ブラシ部    ３１：親指    ３２：人差し指
３３：中指    ５１，７１，８１：孔    ５３，５４，５５：スリット
６１：切込み    ６３，６４：円形孔    ６５：長孔    ７０：吸水体
７３，８３：裏面    ７５：バンド    ８５，８６：一対の切込み
８７，８８：一対の切込みによって囲まれた部分    ８７′，８８′：挟持片
【図１】
0003234588.tif 000003
【図２】
0003234588.tif 000004
【図３】
0003234588.tif 000005
【図４】
0003234588.tif 000006
【図５】
0003234588.tif 000007
【図６】
0003234588.tif 000008
【図７】
0003234588.tif 000009
【図８】
0003234588.tif 000010
【図９】
0003234588.tif 000011
【図１０】
0003234588.tif 000012
【図１１】
0003234588.tif 000013
【図１２】
0003234588.tif 000014
【図１３】
0003234588.tif 000015
【図１４】
0003234588.tif 000016
【図１５】
0003234588.tif 000017